(57)【要約】【課題】計時器のための月・うるう年表示機構を提供すること。【解決手段】うるう年表示器を月表示器内に一体化した、計時器（１０００）のための表示機構（１０）であって、表示機構（１０）は、１か月に一度、軸（Ｄ）回りに、月表示車セット（２）を駆動する制御機構（３）を備え、月表示車セット（２）は、月表示車セット（２）の４分の１のみの表示を可能にする四分円内に月窓（１Ｃ）を有する文字板（１）の下に配置し、月表示車セット（２）は、４年で完全に１回転し、９０°の角度区分上に、少なくとも１つの特徴的なうるう年のマーキングが表記され、それぞれ、文字板（１）の静的目盛り上で１か月を示すように構成した指針、又は等距離の月マーキングのいずれかを支持し、月マーキングの１つは、文字板（１）の固定マークによって指し示される。【選択図】図１
2020134525.tif 000002
【特許請求の範囲】
【請求項１】
計時器（１０００）のための月・うるう年表示機構（１０）であって、前記機構（１０）は、月表示器内に一体化したうるう年表示器を備え、前記機構（１０）は、ムーブメント（１００）を備えるか、又はムーブメント（１００）と協働するように構成し、前記ムーブメント（１００）は、前記機構（１０）内に含まれる制御機構（３）を介して、月表示車セット（２）を駆動するように構成し、前記月表示車セット（２）は、回転軸（Ｄ）回りに回転し、カバー板若しくは文字板（１）の下に配置し、前記回転軸（Ｄ）回りの９０°の角度区分内に収容される月窓（１Ｃ）は、ユーザが前記月表示車セット（２）の４分の１を見ることができるように構成し、前記月表示車セット（２）の他の４分の３は、ユーザから隠され、前記制御機構（３）は、前記月表示車セット（２）が４年で完全な１回転を行うように構成し、前記月表示車セット（２）には、９０°の角度区分にわたり、少なくとも１つの特徴的なうるう年のマーキングが表記され、それぞれ、前記文字板（１）の静的目盛り上で１つの月を示すように構成した指針、又は等距離の月マーキングのいずれかを支持し、前記月マーキングの１つは、前記文字板（１）の固定マークによって指し示される、月・うるう年表示機構（１０）において、前記月窓（１Ｃ）は、１年の月である１２個の半透明上側マーキング（７１）を表記する少なくとも部分的に半透明のガラス（７０）を備え、前記ガラス（７０）の下で、前記月表示車セット（２）が回転し、前記月表示車セット（２）には、４つの等間隔の色付き及び／又は反射下側マーキング（７２）が表記され、前記下側マーキング（７２）はそれぞれ、１つの月マーキングに対して角度の付いた大きさを有し、他の月の上側マーキング（７１）との視覚的な対比によって、現在の月の名前を見せるように構成し、前記下側マーキング（７２）の１つは、うるう年下側マーキング（７２Ａ）であり、通常の年の下側マーキング（７２Ｂ）である他の下側マーキング（７２）とは異なり、現在の月に対して、１年の他の月の視覚的効果とは異なる視覚的効果をユーザにもたらすように構成することを特徴とする、月・うるう年表示機構（１０）。
【請求項２】
月目盛り（１Ｄ）に面する月窓（１Ｃ）を含む少なくとも１つのカバー板又は文字板（１）を備える、請求項１に記載の月・うるう年表示機構（１０）において、前記表示機構（１０）は、円板又はリングによって形成した月表示車セット（２）を備え、前記月表示車セット（２）は、前記ムーブメント（１００）によって回転軸（Ｄ）回りに間接的に駆動され、前記月窓（１Ｃ）の内部で部分的にユーザに見えるように構成すること、前記月目盛り（１Ｄ）は、前記回転軸（Ｄ）に対して９０°の中心角度で延在すること、前記制御機構（３）は、前記表示車セット（２）が４年で１回転を行うように構成すること、前記月表示車セット（２）は、前記月窓（１Ｃ）を通じて見える表示軌道を含み、４つの等距離指針を備え、前記指針のうち一度に１つだけ、前記月窓（１Ｃ）を通じて見え、前記月目盛り（１Ｄ）上で現在の月に対応するマークを永続的に指し示すこと、及び前記指針のうち、１つはうるう年の指針（２Ａ）であり、他の３つの指針は、通常の年の指針（２Ｂ）であり、前記うるう年指針（２Ａ）は、ユーザにうるう年であることを示す、目に見えるマーキングを備えることを特徴とする、月・うるう年表示機構（１０）
【請求項３】
前記月表示車セット（２）は、前記文字板（１）の静的目盛り（１Ｄ）上に１つの月を表示するように構成した指針が表記される表示リング又は円板であり、前記指針は、４つの等間隔の指針（２Ａ、２Ｂ）によって形成し、前記指針のうち一度に１つだけ、前記窓（１Ｃ）を通じて見え、前記指針は、前記文字板（１）の月目盛り（１Ｄ）上で現在の月を指し示すように構成すること、及び前記４つの指針（２Ａ、２Ｂ）のうち、うるう年指針（２Ａ）は、他の通常の年の指針（２Ｂ）とは異なり、前記月表示器内に一体化し得ることを特徴とする、請求項１に記載の表示機構（１０）。
【請求項４】
前記通常の年の指針（２Ｂ）は、互いに異なり、それぞれ、ユーザから見える、数字の付いた表示を備え、前記数字は、次のうるう年までの残りの年数であることを特徴とする、請求項３に記載の表示機構（１０）。
【請求項５】
前記通常の年の指針（２Ｂ）は、互いに異なり、それぞれ、ユーザから見える、数字の付いた表示を備え、前記数字は、最後のうるう年から経過した年数であることを特徴とする、請求項３に記載の表示機構（１０）。
【請求項６】
前記月表示車セット（２）には、４年にわたる一連の月に対応する等距離の月マーキング（８０）が表記され、前記月マーキング（８０）のうち１つは、指針（８４）及び／又は色の付いた半透明ガラス（８５）である前記文字板（１）の固定マーク（８３）によって指し示され、前記月マーキング（８０）は、４８個の月マーキング（８１、８２）によって形成し、前記月マーキング（８１、８２）のうち１２個の連続するマーキングは、うるう年のマーキング（８１）であり、通常の年の月マーキング（８２）である他の３６個のマーキング（８０）とは異なることを特徴とする、請求項１に記載の表示機構（１０）。
【請求項７】
前記制御機構（３）は、前記ムーブメント（１００）の筒車によって、又は前記筒車と嵌合する列によって、又は日付機構（２００）によって駆動されるように構成した入力車セット（３１）を備え、前記入力車セット（３１）は、中間車（３２）と一体である第１の星車（３２１）を枢動するように構成した爪（３１１）を備え、前記中間車（３２）は、変換列（３３）と嵌合して停止車（３４）を駆動し、前記停止車（３４）は、ばね（３５２）によって静置位置まで戻されるこはぜ（３５）と協働するように構成した窪み（３４Ａ）を備え、前記停止車（３４）は、第２の星車（３４１）と一体であり、前記第２の星車（３４１）の歯（３４２）は、前記停止車（３４）が枢動すると、前記月表示車セット（２）内に含まれるピン（２２）を駆動し、前記第１の星車（３２１）の枢動がなく、前記停止車（３４）が前記こはぜ（３５）によって静置されたままであると、前記ピン（２２）を所定の位置に保持するように構成することを特徴とする、請求項１に記載の表示機構（１０）。
【請求項８】
前記入力車セット（３１）は、前記第１の星車（３２１）を１か月に一度、月の最後の日に枢動するように構成することを特徴とする、請求項７に記載の表示機構（１０）。
【請求項９】
前記停止車（３４）は、交互の窪み（３４Ａ）及び峰（３４Ｂ）を備えること、前記中間車（３２）及び前記変換列（３３）は、前記第１の星車（３２１）のそれぞれの基本的な回転の間、２つの連続する前記窪み（３４Ａ）の間の角度ピッチを通じて停止車（３４）を駆動するように構成することを特徴とする、請求項７に記載の表示機構（１０）。
【請求項１０】
前記第１の星車（３２１）のそれぞれの基本的な回転により、前記角度ピッチの第１の部上で、前記ばね（３５２）に反して、前記こはぜ（３５）内に含まれる転子（３５１）が前記窪み（３４Ａ）と前記峰（３４Ｂ）との間のカム傾斜路の上方に移動し、前記ばね（３５２）を巻くようにすること、及び前記ばね（３５２）は、前記転子（３５１）が前記峰（３４Ｂ）を通過した後に前記ばね（３５２）がほどかれた際、角度ピッチの第２の部上で、前記停止車（３４）を新たな静置位置まで枢動させるように構成し、前記新たな静置位置では、前記転子（３５１）は、次の月の終わりまで前記峰（３４Ａ）内に押し込められることを特徴とする、請求項９に記載の表示機構（１０）。
【請求項１１】
前記停止車（３４）の各回転により、前記月車セット（２）を４８分の１回転、回転させることを特徴とする、請求項７に記載の表示機構（１０）。
【請求項１２】
前記第１の星車（３２１）のそれぞれの基本的な回転により、前記停止車（３４）を４分の１回転、回転させることを特徴とする、請求項７に記載の表示機構（１０）。
【請求項１３】
前記表示機構（１０）は、月修正機構（２０）を備え、前記月修正機構（２０）は、ユーザの指令に基づき、前記月表示車セット（２）の角度位置を変更するように構成することを特徴とする、請求項１に記載の表示機構（１０）。
【請求項１４】
前記修正機構（２０）は、駆動要素を備え、前記駆動要素は、ユーザが直接操作することができ、嵌合、摩擦又は磁気による協働により、前記月表示車セット（２）を直接駆動するように構成することを特徴とする、請求項１３に記載の表示機構（１０）。
【請求項１５】
前記修正機構（２０）は、作動器を備え、前記作動器は、ユーザが直接操作することができ、前記停止車（３４）を回転駆動するように構成することを特徴とする、請求項１３に記載の表示機構（１０）。
【請求項１６】
計時器（１０００）のムーブメント（１００）と協働するように構成した日付機構（２００）を備える暦機構（３００）であって、前記暦機構（３００）は、請求項７に記載の少なくとも１つの表示機構（１０）を含み、前記日付機構（２００）は、列を備え、前記列は、現在の月の日数を計数し、月の１日から２７日まで前記入力車セット（３１）を３１分の１回転、回転させ、現在の月の最後の日に、現在の月が２８日である場合は３１分の４回転、回転させるか、又は現在の月が２９日である場合は３１分の３回転、回転させるか、又は現在の月が３０日である場合は３１分の２回転、回転させるか、又は現在の月が３１日である場合は３１分の１回転、回転させ、現在の月の間、前記入力車セット（３１）が完全な１回転を行うように構成する、暦機構（３００）。
【請求項１７】
前記日付機構（２００）は、日付表示器（１Ｂ）を備えること、及び前記入力車セット（３１）は、前記日付表示器（１Ｂ）の位置を制御するように構成することを特徴とする、請求項１６に記載の暦機構（３００）。
【請求項１８】
前記日付機構（２００）は、日付修正器（２２０）を備え、前記日付修正器（２２０）は、前記日付表示器（１Ｂ）の位置を変更するように構成することを特徴とする、請求項１６に記載の暦機構（３００）。
【請求項１９】
前記日付修正器（２２０）は、前記月表示車セット（２）の角度位置を変更するようにも構成することを特徴とする、請求項１８に記載の暦機構（３００）。
【請求項２０】
請求項１から１５のいずれか一項に記載の少なくとも１つの表示機構（１０）を駆動する、及び／又は請求項１６から１９のいずれか一項に記載の少なくとも１つの暦機構（３００）を駆動するように構成した少なくとも１つの計時器ムーブメント（１００）を含む計時器（１０００）。
【発明の詳細な説明】
【技術分野】
【０００１】
本発明は、計時器のための月・うるう年表示機構に関する。
【０００２】
本発明は、暦を含む計時器複雑機構の分野に関する。
【背景技術】
【０００３】
暦機構は、典型的な計時器複雑機構の１つである。一部の複雑機構は、月又は年の継続時間を管理することができる。うるう年表示器又は指示器は、ユーザが、現在の年がうるう年であるか否かを決定することを可能にし、時計の複雑さレベルに応じて、２月の最後の日の表示及び３月の最初の日への正確な変更を管理することができる。
【０００４】
最も単純な暦機構の場合、現在の年がうるう年であるか否かが単にわかることによって、ユーザが、現在の月の最後の日に、一般的には制御巻真により、表示器に対して正しい修正を行うことを可能にする。こうした機構は、これらが単純な日付暦に関するものであるか、年間暦に関するものであるか、又は万年暦に関するものであるかに応じて異なる。機構が万年暦であるケースにおいて、うるう年制御機構は、高価な構成要素、例えばマルタ十字形のカムを必要とし、時計ケースの内部、又は置時計のような静的なものである場合は計時器ケースの内部で、特定の量の空間を占有する。
【０００５】
うるう年表示器は、小さな窓の内側に、４つの四分円を有する円板の一区分を表示することによって、又は指針とそのような円板の一部との協働によって達成されることが多い。
【０００６】
ＢＥＬＰＡＮＯＲＭ名義のＷＯ特許第０１／４８５６８号は、計時器ムーブメントのモータ駆動式車によって作動され、少なくとも暦の日付を表示する万年暦機構を開示している。この機構は、もっぱら、歯車によって形成した回転可動要素から構成され、駆動車は、１日に１度、真夜中に瞬間的に１回転する。歯車の１つは、日付を表示する可動要素を駆動する日車である。日車は、３１の歯を備え、駆動車と一体である駆動歯によって、１日に１度、１段の割合で駆動される。他の歯車の少なくとも１つは、月の長さのための可動要素であり、日車と一体である制御車によって、月の最後の４日で駆動することができる。月の長さのためのこの可動要素は、１組の０から３の群の歯から構成される１組の歯を備え、群のそれぞれは、１年の１つの月に対応する。日車は、調節刻時列によって、３１と、関係する月の日数との間の差に対応するいくつかの段によって、３１日の月の最後に駆動され、調節刻時列は、駆動車と一体である少なくとも１つの駆動かな、１か月の継続時間のための可動要素、日付駆動かな及び制御車を備える。
【先行技術文献】
【特許文献】
【０００７】
【特許文献１】ＷＯ特許第０１／４８５６８号
【発明の概要】
【発明が解決しようとする課題】
【０００８】
本発明は、現在の月の表示と、現在の年の型（うるう年又は非うるう年）の表示との組合せを提案するものであり、非常に単純に、安価で、かなり確実で、簡単な修正の機構は、関係する計時器の内部の適当な空間に閉じ込められる。
【０００９】
この目的で、本発明は、請求項１に記載の計時器のための月・うるう年表示機構に関する。
【００１０】
本発明は、計時器ムーブメントと協働するように構成した日付機構を備え、請求項１７に記載の少なくとも１つのそのような月・うるう年表示機構を備える暦機構にも関する。
【００１１】
本発明は、少なくとも１つのそのような月・うるう年表示機構及び／又は少なくとも１つのそのような暦機構を駆動するように構成した少なくとも１つの計時器ムーブメントを備える計時器にも関する。
【００１２】
本発明の他の特徴及び利点は、添付の図面を参照しながら、以下の詳細な説明を読めば明らかになるであろう。
【図面の簡単な説明】
【００１３】
【図１】暦機構を備える時計の概略平面図であり、暦機構は、時計の制御巻真の近傍で、３時の周囲の日付窓内に日付表示器を有する日付機構、及び本発明による月・うるう年表示機構を有し、月・うるう年表示機構は、３時と６時との間の四分円にわたり延在する月表示窓を備え、一変形形態では、静的目盛りは、この月窓に沿って時計の文字板にわたり延在し、月表示車セットは、環状軌道を備え、環状軌道には、４つの異なる指針が表記され、それぞれ、１年の間だけ窓内に出現し、現在の月の名前を指し示す。図は、うるう年に特定の指針を示し、２月である現在の月を指し示す。
【図２】図１と同様の、同じ時計の通常の年の場合の詳細図である。通常の年の指針は、図１の特別なうるう年の指針に代わり、現在の年の２月を指し示す。
【図３】月表示車セットの制御機構の図である。図３は、図１と同様に、完全な月表示車セット、及びこの月表示車セットと制御機構との協働を表し、月表示車セットは、４つの三角形の指針を支持し、６時の近傍にあるそのうちの１つは、他の３つとは異なり、うるう年表示器である。
【図４】月表示車セットの制御機構の図である。図４は、月の終わりに近い、この制御機構の詳細図であり、制御機構は、入力車セット３１における制御機構の入力により、ムーブメント又は日付機構によって駆動されるように構成され、歯車列を介して停止車を駆動する第１の星車を枢動するように構成した爪を有する。この停止車は、ばねによって静置位置に戻されるこはぜと協働するように構成した窪みを備え、停止車は、第２の星車と一体であり、第２の星車は、停止車が枢動すると、月表示車セットのピンを駆動し、第１の星車の枢動がなく、停止車がこはぜによって静置されたままであると、これらのピンを所定の位置に保持するように構成される。
【図５】月表示車セットの制御機構の図である。図４と同様である図５は、ある月の８日における制御機構の状態を表す。
【図６】月表示車セットの制御機構の図である。図４と同様である図６は、真夜中直前の、ある月の最後の日における制御機構の状態、及び月表示車セットを駆動させる第２の星車の回転跳躍を表す。
【図７】第２の変形形態の図である。月表示車セットには、下側マーキングが表記され、月窓は、１２個の半透明上側マーキングが表記される少なくとも部分的に半透明のガラスを有し、１２個の半透明上側マーキングのそれぞれは、１年のある月に対応する。月表示車セットは、このガラスの下で回転し、４つの下側マーキングは、等距離で、色付けされたマーキング及び／又は反射する、露出が高いマーキングであり、それぞれ、月マーキングに対して角度の付いた大きさを有する。図７は、このガラス及び月表示車セットを別々に示す。
【図８】第２の変形形態の図である。月表示車セットには、下側マーキングが表記され、月窓は、１２個の半透明上側マーキングが表記される少なくとも部分的に半透明のガラスを有し、１２個の半透明上側マーキングのそれぞれは、１年のある月に対応する。月表示車セットは、このガラスの下で回転し、４つの下側マーキングは、等距離で、色付けされたマーキング及び／又は反射する、露出が高いマーキングであり、それぞれ、月マーキングに対して角度の付いた大きさを有する。図８は、通常の、非うるう年の３月におけるガラスと月表示車セットとの重ね合わせを示し、この３月の間、通常の年に特定の、斜線が付けられた下側マーキングは、３月の文字の開口を通じて見える。
【図９】第２の変形形態の図である。月表示車セットには、下側マーキングが表記され、月窓は、１２個の半透明上側マーキングが表記される少なくとも部分的に半透明のガラスを有し、１２個の半透明上側マーキングのそれぞれは、１年のある月に対応する。月表示車セットは、このガラスの下で回転し、４つの下側マーキングは、等距離で、色付けされたマーキング及び／又は反射する、露出が高いマーキングであり、それぞれ、月マーキングに対して角度の付いた大きさを有する。図９は、うるう年の１０月におけるガラスと月表示車セットとの重ね合わせを示し、この１０月の間、うるう年に特定の、格子じま模様の下側マーキングは、１０月の文字の開口を通じて見える。
【図１０】第３の変形形態の図である。月表示車セットには、４年にわたる一連の月に対応する４８個の等距離の月マーキングが表記され、現在の月に対応する月マーキングの１つは、文字板上の固定マークによって指し示され、固定マークは、指針及び／又は色付きの半透明ガラスであり、これら４８個の月マーキングのうち、１２個の連続するマーキングは、うるう年の月マーキングであり、通常の年の月マーキングである他の３６個のマーキングとは異なる。図１０は、非限定的な例を示し、通常の年の月マーキングは、薄い文字で月の名前を有する一方で、うるう年の月マーキングは、より濃い文字を有し、通常の年の現在の２月は、半透明色付きガラスの下に見え、半透明色付きガラス自体は、文字板上の固定指針に面する。
【図１１】これら３つの変形形態のそれぞれで使用し得る修正機構の一例の図である。図１１は、図３と同様に、第１の変形形態の完全な月表示車セット、及びこの月表示車セットと制御機構との協働、及び３時の巻真の近傍の、月修正機構を示す。
【図１２】これら３つの変形形態のそれぞれで使用し得る修正機構の一例の図である。図１２は、修正車の詳細を示す平面図であり、修正車は、修正星車と一体である修正かなを移動させるように構成し、修正星車は、月の最後に第２の星車を駆動するのと同様に、月表示車セットのピンを駆動するように構成される。
【図１３】これら３つの変形形態のそれぞれで使用し得る修正機構の一例の図である。図１３は、修正車の詳細を示す斜視図であり、修正車は、修正星車と一体である修正かなを移動させるように構成し、修正星車は、月の最後に第２の星車を駆動するのと同様に、月表示車セットのピンを駆動するように構成される。
【図１４】計時器、特に時計を表すブロック図であり、計時器は、ムーブメント、日付機構及び日付機構の日付修正器機構を有する暦機構、並びに本発明による、月修正器を有する月・うるう年表示機構を備える。
【発明を実施するための形態】
【００１４】
本発明は、計時器１０００のための月・うるう年表示機構１０に関する。図１は、１つのそのような計時器１０００、本明細書では時計を示し、計時器１０００は、時針及び分針を介する従来の時間表示器１Ａ、日付表示器１Ｂを有する日付機構２００、特に日付修正器２２０を制御する制御巻真２２１、並びに本発明による月・うるう年表示機構１０を備える。
【００１５】
本発明によれば、この機構１０は、月表示器内に一体化したうるう年表示器を含む。本発明は、非限定的な特定のグレゴリオ暦表示のケースで説明するが、完全に他の種類の暦、特に、太陰暦又は黄道十二宮型に役立ち、当業者であれば、どのように以下で説明する月の最後の表示を変更する本デバイスを、太陰暦の最後又はあらゆる特別周期の最後に表示を変更するデバイスに置き換えて作製するかわかるであろう。
【００１６】
計時器の構成に応じて、機構１０は、ムーブメント１００を備えるか、又は機構１０をムーブメント１００と協働するように構成する。どちらの場合も、このムーブメント１００は、月表示車セット２を駆動するように構成され、月表示車セット２は、特に、限定はしないが、機構１０内に含まれる制御機構３を介して表示リング又は表示円板によって形成される。この月表示車セット２は、回転軸Ｄ回りに回転するように構成され、カバー板又は文字板１の下に配置される。文字板１又はカバー板、例えば受け等は、回転軸Ｄ回りの９０°の角度区分内に含まれる月窓１Ｃを備える。この月窓１Ｃは、ユーザが、月表示円板２の４分の１を見るのを可能にするように構成される一方で、月表示円板２の他の４分の３は、文字板１及び／又は計時器１００の少なくとも１つの固定部分によって、ユーザから隠される。
【００１７】
本発明によれば、制御機構３は、月表示車セット２が４年で完全な１回転を行うように構成される。したがって、月表示車セット２は、各月末に４８分の１回転だけ回転する。
【００１８】
また、この月表示車セット２には、９０°の角度区分上に、少なくとも１つの特徴的なうるう年のマーキングが表記されている。
【００１９】
また、月表示車セット２は、それぞれ文字板１の静的目盛り上で１か月を示すように構成した指針、又は等距離の月マーキングをもち、月マーキングの１つは、文字板１の固定マークによって指し示される。
【００２０】
図は、そのようなうるう年表示器の設計を示し、うるう年表示器は、この特定の非限定的なバージョンでは、特に、文字板１の形態、リングである月表示車セット２の形態、又は環状表示軌道を支持する円板の形態のカバー板、及び制御・分配機構３を含む。月表示車セット２は、回転軸Ｄ回りに枢動するように組み付けられる。ムーブメント１００又は日付機構２００によって駆動される制御機構３は、月が変わるごとに１角度ピッチで月表示車セット２を駆動し、月車セット２が次の月の終わりで作動されるまで月車セット２を新たな静置位置に戻す機能を有する。
【００２１】
第１の変形形態では、図１及び図２からわかるように、月・うるう年表示機構１０は、文字板１の静的月目盛り１Ｄに面する月窓１Ｃを含み、月目盛り１Ｄは、異なる月の一連の名前を備える。より詳細には、月目盛り１Ｄは、回転軸Ｄに対して９０°の中心角度で延在する。月表示車セット２は、月窓１Ｃを通じて見える表示軌道を含み、４つの等距離指針２Ａ又は２Ｂを含み、指針のうち、一度に１つのみが月窓１Ｃを通じて見え、月目盛り１Ｄ上に現在の月に対応するマークを永続的に指し示す。より詳細には、指針のうち、１つはうるう年指針２Ａであり、他の３つの指針は、通常の年の指針２Ｂであり、うるう年の指針２Ａは、ユーザにうるう年であることを示す、目に見えるマーキングを備える。したがって、通常の年の指針２Ｂとは異なるこのうるう年指針２Ａは、月表示器内に一体化することができる。
【００２２】
図では、これらの指針は、三角形であり、うるう年指針２Ａには、うるう年のＳの文字（ドイツ語の「Ｓｃｈａｌｔｊａｈｒ（うるう年）」に由来）が表記されている。
【００２３】
特定の一実施形態では、通常の年の指針２Ｂは、互いに異なり、それぞれ、ユーザから見える数字の付いた指針を備え、これらの数字は、次のうるう年までの残りの年数である。
【００２４】
別の特定の実施形態では、通常の指針２Ｂは、互いに異なり、それぞれ、ユーザから見える数字の付いた指針を備え、数字は、最後のうるう年から経過した年数である。
【００２５】
第２の変形形態では、図７から図９からわかるように、月窓１Ｃは、固定された、少なくとも部分的に半透明のガラス７０を含み、ガラス７０には、１２個の静的な半透明上側マーキング７１が表記され、それぞれ、１年のある月に対応する。月表示車セット２は、このガラス７０の下で回転する。この月表示車セット２には、４つの下側マーキング７２Ａ及び７２Ｂが表記され、４つの下側マーキング７２Ａ及び７２Ｂは、等距離で、露出の高いマーキングであって、特に、色付けされたマーキング及び／又は反射するマーキングであり、それぞれ、月マーキング７１に対して角度の付いた大きさを有する。下側マーキング７２Ａ又は７２Ｂのそれぞれは、他の月の上側マーキング７１との視覚的な対比によって、関係する下側マーキング７２Ａ又は７２Ｂと現在の月の上側マーキング７１との局所的な重ね合わせにより、現在の月の名前を明らかにするように構成される。下側マーキング７２の１つは、うるう年下側マーキング７２Ａであり、通常の年の下側マーキング７２Ｂである他の下側マーキング７２とは異なり、現在の月が、１年の他の月の視覚的効果とは異なる視覚的効果をユーザにもたらすように構成される。４つの下側マーキング７２Ａ及び７２Ｂは、色の付いた表面から形成することができ、これらの表面は、うるう年下側マーキング７２Ａと通常の年の下側マーキング７２Ｂとの間で区別され、上側マーキング７１の輪郭を通じて見えるか、又は異なる色付きの反射表面、若しくはそれ以外によって形成することができる。上側マーキング７１の輪郭は、表示車セット２の表面を視界に残し、したがって、現在の月の名前（又は記号）のみが明らかになる。図７から図９は、非限定的な例を示し、うるう年下側マーキング７２Ａは、格子じま模様にされ、通常の年の下側マーキング７２Ｂは、単純な斜線が付けられている。図８は、通常の年の３月の表示を示す一方で、図９は、うるう年の１０月を示す。特定の一実施形態では、ガラス７０は、上側マーキング７１のみ、例えば、図８及び図９に示すように月の名前の文字の内側のみが透明であってもよい。
【００２６】
第３の変形形態では、図１０からわかるように、月表示車セット２には、４年にわたる一連の月に対応する等距離の月マーキング８０が表記され、月マーキング８０の１つは、指針８４である文字板１の固定マーク８３及び／又は色付き半透明ガラス８５によって指し示される。これらの月マーキング８０は、４８か月マーキング８１及び８２によって形成され、そのうち、１２の連続するマーキングは、うるう年の月マーキング８１であり、通常の年の月マーキング８２である他の３６のマーキング８０とは異なる。図１０は、非限定例を示し、通常の年月マーキング８２は、月の名前を薄い文字で有する一方で、うるう年の月マーキング８１は、より濃い文字を有し、現在の月は、色付きの半透明ガラス８５の下に見え、半透明ガラス８５自体は、指針８４に面する。月表示車セット２が、各月の最後に４８分の１回転だけ回転することは明らかである。
【００２７】
制御機構３に関し、特に、図３から図６に示す非限定的な様式では、この制御機構３は、入力車セット３１を備え、入力車セット３１は、ムーブメント１００の筒車によって、又は筒車と嵌合する列によって、又は日付機構２００によって駆動されるように構成される。この入力車セット３１は、爪３１１を有し、爪３１１は、中間車３２と一体である第１の星車３２１を枢動するように構成される。この中間車３２は、停止車３４を駆動する変換列３３と嵌合する。停止車３４は、こはぜ３５と協働するように構成した窪み３４Ａを有し、こはぜ３５は、ばね３５２によって静置位置に戻される。この停止車３４は、第２の星車３４１と一体であり、第２の星車３４１の歯３４２は、停止車３４が枢動すると、月表示車セット２内に含まれるピン２２を駆動し、第１の星車３２１の枢動がなく、停止車３４がこはぜ３５によって静置されたままであると、これらのピン２２を所定の位置に保持するように構成される。
【００２８】
入力車セット３１は、１日の終わりに３１分の１回転、枢動する。入力車セット３１は、好ましくは、日付機構２００によって駆動され、日付機構の種類（特に、万年暦又は年間暦）に応じて、この回転は、１日の終わりに、従来のように２から３時間要してもよい。日付機構は、月末修正を実施する。
【００２９】
より詳細には、入力車セット３１は、日付機構２００の車と一体である。
【００３０】
月・うるう年表示機構１０が、あらゆる日付機構から独立していることを想定することも可能であるが、このことは制限された対象である。そのような場合、月・うるう年表示機構１０は、ムーブメント１００によって駆動され、月末修正を行うのはユーザ次第である。
【００３１】
より詳細には、入力車セット３１は、第１の星車３２１を１か月に一度、月の最後の日に枢動するように構成される。
【００３２】
太陰暦の特定のケースでは、５９の歯が付いた車の従来の駆動により、黄道十二宮型、又はイスラム暦、又はイスラエル暦、又は同様の暦表示のための太陰暦の月の最後の日での第１の星車３２１の枢動作動を可能にする。
【００３３】
より詳細には、停止車３４は、交互の窪み３４Ａ及び峰３４Ｂを有し、中間車３２及び変換列３３は、第１の星車３２１のそれぞれの基本的な回転の間、２つの連続する窪み３４Ａの間の角度ピッチを通じて、停止車３４を駆動するように構成される。
【００３４】
より詳細には、第１の星車３２１のそれぞれの基本的な回転により、こはぜ３５内に含まれる転子３５１が、角度ピッチの第１の部上で、ばね３５２に反して、窪み３４Ａと峰３４Ｂとの間のカム傾斜路の上方に移動し、ばね３５２を巻くようにする。このばね３５２は、転子３５１が峰３４Ｂを通過した後にばね３５２がほどかれた際、角度ピッチの第２の部上で、停止車３４を新たな静置位置まで枢動させるように構成され、新たな静置位置では、転子３５１は、次の月の終わりまで峰３４Ａ内に押し込められる。
【００３５】
より詳細には、停止車３４の各回転により、月車セット２を４８分の１回転、回転させる。
【００３６】
より詳細には、第１の星車３２１のそれぞれの基本的な回転により、停止車３４が４分の１回転、回転する。
【００３７】
図示する非限定的な変形形態では、ある月の最後の日から次の月の最初の日に変化する間、入力車セット３１は、中間車３２を駆動し、中間車３２を８分の１回転、回転させる。この場合、変換列３３は、停止車３４を４分の１回転、枢動させるように構成される。
【００３８】
したがって、停止車３４は、中間車及び変換列３３を介して、入力車セット３１によってほぼ４分の１回転で駆動される。この９０°の回転のうち、約４５°は、こはぜ３５を解放し、こはぜのばね３５２を図６に示す位置まで巻くために使用される。転子３５１が峰３４Ｂを通過した後、ばね３５２は、一時的に転子３５１を押し、これにより、転子３５１は、停止車３４の次の窪み３４Ａに落下し、この衝撃により、月表示車セット２を４８分の１回転で枢動させ、窓１Ｃ内に次の月を表示する。したがって、停止車３４は、月表示車セット２のピン２２と常に接触している。この停止車３４は、全ての月でこはぜ３５上に静置され、入力車セット３１の毎月の移動の間だけ、停止車３４は、前の月の最後の日と新たな月の最初の日の間、４分の１回転という完全回転を行う。こはぜ３５も、月の全体を通じて、停止車３４の窪み３４Ａ上に静置され、入力車セット３１によって与えられる毎月の移動の間にだけ、窪み３４Ａに沿って移動する。
【００３９】
当然、本発明から逸脱することなく、他の歯車低減要素を用いることができる。
【００４０】
有利には、表示機構１０は、月修正機構２０も含み、月修正機構２０は、ユーザの指令に基づき、月表示車セット２の角度位置を変更するように構成される。
【００４１】
一変形形態では、この修正機構２０は、駆動要素２２２を備え、駆動要素２２２は、ユーザが直接操作することができ、嵌合、摩擦又は磁気による協働により、月表示車セット２を直接駆動するように構成される。
【００４２】
一変形形態では、修正機構２０は、作動器を備え、作動器は、ユーザが直接操作することができ、停止車３４を回転駆動するように構成される。
【００４３】
図１１から図１３は、そのような月修正機構２０の非限定的な例を示し、月修正機構２０は、ユーザにより制御される、修正車２１を駆動する機構（図示せず）を備え、この機構は、修正星車２３と一体である修正かな２４を移動するように構成され、修正星車２３は、第２の星車３４１が月の終わりにピン２２を駆動するのと同じように月表示車セット２のピン２２を駆動するように構成される。当然、この月修正機構２０は、変形することなく、抵抗力を克服し得るように設計され、この抵抗力は、ばね３５２によって前記同じ第２の星車３４１に永続的に加えられるものである。
【００４４】
一代替形態では、修正は、曜日及び日付を表示する暦機構の曜日の修正と同様に行うことができ、巻真２２１の位置の１つ、特に、巻真の位置Ｔ２では、日付を第１の回転方向で修正し、曜日は、第１の回転方向とは反対の第２の回転方向で修正する。したがって、本発明の状況において、修正は、以下のようである：巻真の位置Ｔ２では、日付を第１の回転方向で修正し、月表示車セット２の位置は、第１の回転方向とは反対の第２の回転方向で修正する。
【００４５】
本発明は、暦機構３００にも関し、暦機構３００は、計時器１０００のムーブメント１００と協働するように構成した日付機構２００を含み、暦機構３００は、本発明による少なくとも１つの表示機構１０を含む。より詳細には、この日付機構２００は、列を含み、この列は、現在の月の日数を計数し、月の１日から２７日まで入力車セット３１を３１分の１回転、回転させ、現在の月の最後の日に、現在の月が２８日である場合は３１分の４回転、回転させるか、又は現在の月が２９日である場合は３１分の３回転、回転させるか、又は現在の月が３０日である場合は３１分の２回転、回転させるか、又は現在の月が３１日である場合は３１分の１回転、回転させ、現在の月の間、入力車セット３１が完全な１回転を行うように構成される。
【００４６】
より詳細には、日付機構２００は、日付表示器１Ｂを有し、入力車セット３１は、日付表示器１Ｂの位置を制御するように構成される。
【００４７】
より詳細には、日付機構２００は、日付修正器２２０を有し、日付修正器２２０は、日付表示器１Ｂの位置を変更するように構成される。
【００４８】
より詳細には、日付修正器２２０は、月表示車セット２の角度位置を変更するようにも構成される。
【００４９】
上記では、グレゴリオ暦のケースでの修正を説明している。ムーブメント又はユーザによって制御される同様の修正機構を、他の種類の暦、特に、特定の時間での修正を必要とする太陰暦のために実現することができる。
【００５０】
本発明は、少なくとも１つの計時器ムーブメント１０を含む計時器１０００にも関し、計時器ムーブメント１０は、少なくとも１つのそのような表示機構１０及び／又は少なくとも１つのそのような暦機構３００を駆動するように構成される。
【００５１】
より詳細には、この計時器１０００は時計である。
【００５２】
当然、本発明の原理は、他の種類の暦計時器、特に、天体時計又は天体置時計に拡張することができ、特に、本発明の原理によれば、年表示車セット上で、通常の年と、うるう年と、うるう年ではなく２月２８日がある４００で割り切れない１世紀の年と、うるう年で２月２９日がある４００で割り切れる１世紀の年と、理論上はうるう年であるが２月２８日である１０００年の年との間を区別することによって、月表示に加えて年表示を管理することが可能である。
【００５３】
要約すると、本発明により、あらゆる計時器内に、うるう年であるかどうかの情報、及び／又は表示指針の構成に応じて、次のうるう年まで何年あるか若しくは最後のうるう年から何年経過したかについての情報をユーザに与える表示を一体化することが可能である。こうして、２月の理論上の継続時間及び現在の年の日数がわかる。本発明は、万年暦機構の正確な調節を可能にする。
【００５４】
本発明は、関係する計時器のケースの内側に対し、著しい空間の節約を可能にする。更に、計時器の文字板上で更なる指示器の領域を必要としない。時刻及び日付等の腕時計の本質的で典型的な表示は、依然として前景内で完全にはっきりと判読できる。
【００５５】
グレゴリオ暦又はユリウス暦の原理に従った表示が考案され、あらゆる他の種類の暦、特に、太陰暦に適合可能である。
【００５６】
更に、この表示は、時間的に制限されず、あらゆる期限の日でその機能を失わない。
【００５７】
本発明による表示機構は、その修正機構のままで経済的である。
【符号の説明】
【００５８】
１  文字板
２  月表示車セット
３  制御機構
１０  月・うるう年表示機構
７０  ガラス
７１  上側マーキング
７２  下側マーキング
１００  ムーブメント
１０００  計時器
【図１】
2020134525.tif 000003
【図２】
2020134525.tif 000004
【図３】
2020134525.tif 000005
【図４】
2020134525.tif 000006
【図５】
2020134525.tif 000007
【図６】
2020134525.tif 000008
【図７】
2020134525.tif 000009
【図８】
2020134525.tif 000010
【図９】
2020134525.tif 000011
【図１０】
2020134525.tif 000012
【図１１】
2020134525.tif 000013
【図１２】
2020134525.tif 000014
【図１３】
2020134525.tif 000015
【図１４】
2020134525.tif 000016
【手続補正書】
【提出日】令和2年2月25日(2020.2.25)
【手続補正１】
【補正対象書類名】図面
【補正対象項目名】全図
【補正方法】変更
【補正の内容】
【図１】
2020134525.tif 000017
【図２】
2020134525.tif 000018
【図３】
2020134525.tif 000019
【図４】
2020134525.tif 000020
【図５】
2020134525.tif 000021
【図６】
2020134525.tif 000022
【図７】
2020134525.tif 000023
【図８】
2020134525.tif 000024
【図９】
2020134525.tif 000025
【図１０】
2020134525.tif 000026
【図１１】
2020134525.tif 000027
【図１２】
2020134525.tif 000028
【図１３】
2020134525.tif 000029
【図１４】
2020134525.tif 000030
【外国語明細書】
2020134525000001.pdf